(57)【要約】【課題】  筐体で生じる静電気を蓄積できる程の金属導体を内部に有する構造のリムーバブル記録媒体において、帯電した静電気を容易に除去可能とするリムーバブル記録媒体を提供する。【解決手段】  絶縁部材で構成された筐体内部に金属製外装の記録媒体を収納したリムーバブル記録媒体において、前記筐体を構成する絶縁部材の静電気緩和時間が次の条件を満足するように設定する。      ０．００５秒＜τ＜１秒【選択図】図１
2009020629.tif 000002
【特許請求の範囲】
【請求項１】
絶縁部材で構成された筐体の内部に金属製の外装により覆われた記録媒体が収納されたリムーバブル記録媒体において、
前記筐体を構成する絶縁部材の静電気緩和時間τが、次の条件を満足することを特徴とするリムーバブル記録媒体。
０．００５秒＜τ＜１秒
【請求項２】
請求項１に記載のリムーバブル記録媒体であって、
前記絶縁部材は、樹脂基材に粒子状或は繊維状の導電性部材が付与されていることを特徴とするリムーバブル記録媒体。
【請求項３】
請求項１乃至２のいずれかに記載のリムーバブル記録媒体であって、
前記リムーバブル記録媒体がカートリッジ型であることを特徴とするリムーバブル記録媒体。
【請求項４】
絶縁部材で構成された筐体の内部に金属製の外装により覆われた記録媒体が収納されたリムーバブル記録媒体において、
前記筐体を構成する絶縁部材に、導電性部材が含有されていることを特徴とするリムーバブル記録媒体。
【請求項５】
絶縁部材で構成された筐体の内部に金属製の外装により覆われた記録媒体が収納されたリムーバブル記録媒体において、
前記筐体の体積抵抗率が、約１．９×１０+9〜１．９×１０+10Ω・ｍであることを特徴とするリムーバブル記録媒体。
【発明の詳細な説明】
【技術分野】
【０００１】
本発明は、樹脂製の筐体内部に記録媒体を内蔵するリムーバブル記録媒体に係わり、特に、リムーバブル記録媒体の筐体に生じる静電気を簡単に除去可能とする筐体技術に関する。
【背景技術】
【０００２】
樹脂製の筐体内部に記録媒体を内蔵して着脱可能にした記録媒体構成体（以下、便宜上「リムーバブル記録媒体」と称する）として、従来、カートリッジタイプの光磁気ディスク，リムーバルＨＤＤ(Hard  Disk  Drive)やメモリカードなどが知られている。
【０００３】
近年、リムーバブルＨＤＤの一つとして、著作権保護技術ＳＡＦＩＡ(Security Architecture For Intelligent Attachment device)に準拠したカートリッジリタイプのリムーバブルＨＤＤであるｉＶＤＲ(Information Versatile Disk for Removable usage)が提案され、２００７年４月からｉＶＤＲおよびこれを用いる記録再生装置（録画再生装置ともいう）が市販されている。カートリッジリタイプのｉＶＤＲ（以下、単に「ｉＶＤＲ」という）は、樹脂製の筐体（カートリッジ）に金属製外装のＨＤＤが内蔵されたものである。
【０００４】
ｉＶＤＲは、従来のリムーバブル記録媒体（例えばカートリッジタイプの光磁気ディスク，リムーバブルＨＤＤやメモリカードなど）と同様に、静電気を帯びる場合がある。帯電したリムーバブル記録媒体を記録再生装置に挿入すると、リムーバブル記録媒体と記録再生装置との間で静電気の放電が生じ、該放電により、記録再生装置の誤動作や記録再生装置内の半導体やＩＣなどの電子部品の破壊が懸念される。また、リムーバブル記録媒体に収納される記録媒体（電子部品も含む）の損傷も懸念される。
【０００５】
静電気による記録再生装置の誤動作などを防止する技術としては、例えば、リムーバブル記録媒体を収納するトレイの開閉蓋にリムーバブル記録媒体の静電気を除去する除電手段を備える技術が知られている（例えば、特許文献１乃至２参照）。
【０００６】
また、リムーバブル記録媒体に収納される記録媒体の破壊を防止する技術としては、例えば、記録再生装置との接続に用いるコネクタとは別に放電用金属端子を備える技術が知られている（例えば、特許文献３参照）。
【０００７】
特許文献１乃至２は、カートリッジタイプの光磁気ディスクに係わる静電気除去技術であり、記録再生装置の光磁気ディスクを収納するトレイの開閉蓋に除電手段（例えば、除電ブラシや金属接触片など）を備え、記録再生装置に光磁気ディスクを挿入する際、前記除電手段で光磁気ディスクのカートリッジが有する金属製のカバーを摺動し、金属製カバーに帯電した静電気を除去する技術を開示する。
【０００８】
また特許文献３は、リムーバルＨＤＤに係わる静電気除去技術であり、記録再生装置との接続に用いるコネクタとは別に、一方が筐体に接続された放電用金属端子を備え、この放電用金属端子の他方端は、コネクタを構成する電極端子の先端位置に較べ突出していることを開示する。
【０００９】
【特許文献１】特開平２−２２７８６８号公報
【特許文献２】第２７２８７４７号
【特許文献３】特開２００３−３１７８７３号公報
【発明の開示】
【発明が解決しようとする課題】
【００１０】
特許文献１及び２に記載の技術では、光磁気ディスク側コネクタが記録再生装置側コネクタに挿入される前に、静電気を放電させることができるので、誤動作や電子部品の破壊を防ぐことができる。この静電気除去技術は、一部に金属製カバーを有する樹脂で被覆されたその他のリムーバブル記録媒体、例えばメモリカードなどにも適用されている。
【００１１】
一方、特許文献３に記載の技術では、リムーバルＨＤＤを記録再生装置に挿入する際、リムーバルＨＤＤのコネクタが記録再生装置のコネクタに接続される前に、放電用金属端子が記録再生装置側の接地された放電用の金属端子に接触する。これにより、リムーバルＨＤＤの筐体の静電気が記録再生装置に移動し、コネクタ接続時の記録媒体の破壊を防止することが可能となる。
【００１２】
ところで、ｉＶＤＲは、金属製外装のＨＤＤを絶縁部材の筐体（カートリッジ）で挟持した構成（詳細は実施の形態で後述）である。このため、ｉＶＤＲにおいては、カートリッジ（筐体）に生じた静電気は、上記した光磁気ディスクやメモリカードとは異なり、ｉＶＤＲのカートリッジ（筐体）と記録再生装置との間では放電し難いことに、本発明者らは気付いた。すなわち、筐体（カートリッジ）に生じた静電気は、金属製外装に対して静電誘導により逆極性の静電荷を生じさせ、その結果、カートリッジの静電気と同極性の静電荷が、金属製外装に電気的に接続された基板のグランドを介して、ｉＶＤＲに備えられた記録再生装置と接続するためのコネクタを通して記録再生装置側に印加されることが判明した（詳細は実施の形態で後述）。これにより、記録再生装置の誤動作や半導体やＩＣなどの電子部品の劣化・破壊が懸念される。
【００１３】
ｉＶＤＲにおける上記懸念の改善策として、先ず、特許文献１乃至２に記載の除電手段を用いることが考えられる。しかし、静電気がコネクタを介して記録再生装置に移動するので、その効果が期待できない。
【００１４】
次に、ｉＶＤＲに特許文献３に記載された放電用の金属端子を適用すること、つまり、一方端をＨＤＤの金属外装に接続した放電用の金属端子を用いることが考えられる。しかし、ｉＶＤＲでは、互換性を持たせるために、規格でカートリッジ（筐体）形状が規定されており、コネクタ以外の端子を持たせることができない。
【００１５】
この課題は、ｉＶＤＲに限定されるものではない。筐体上の静電気によって誘導電荷が生じる程の十分大きな金属導体を内部に有する構造の記録媒体構成体であれば、同じ課題に直面することになる。
【００１６】
本発明は上記した課題に鑑みてなされたもので、その目的は、絶縁部材で構成された筐体内部に金属製外装の記録媒体が収納されたリムーバブル記録媒体において、帯電した静電気が容易に除去可能とされるリムーバブル記録媒体を提供することにある。
【課題を解決するための手段】
【００１７】
上記課題点を解決するために、本発明では、絶縁部材で構成された筐体内部に金属製外装の記録媒体を収納したリムーバブル記録媒体において、前記筐体を構成する絶縁部材の静電気緩和時間が次の条件を満足するように設定する。
【００１８】
０．００５秒＜τ＜１秒
前記絶縁部材が前記数を満足すれば、前記絶縁部材は電気的には絶縁性を有しながら、前記筐体に生じる静電気に対しては、前記筐体と前記金属製外装との間で短時間での移動を可能とする。
【００１９】
このため、例えば特許文献２に記載の除電ブラシを用いて、前記筐体を摺動すれば、帯電した静電気を除電することが可能となる。すなわち、ｉＶＤＲ規格を満足しながら、良好に、記録再生装置およびｉＶＤＲ自体の静電気による誤動作や電子部品の信頼性低下を抑制することができる。
【００２０】
上記条件を満足するために、本発明では、例えば、上記筐体を構成する絶縁部材に、導電性部材が含有させる。また、上記筐体の体積抵抗率を、例えば約１．９×１０+9〜１．９×１０+10Ω・ｍに設定する。
【発明の効果】
【００２１】
本発明によれば、帯電した静電気を容易に除去可能とするリムーバブル記録媒体を提供することができる。
【発明を実施するための最良の形態】
【００２２】
以下、本発明の最良の形態について、図を参照して説明する。なお、全図において、共通な機能を有する要素には同一な符号を付して示し、一度説明したものについては、その重複する説明を省略する。また、本発明は、著作権保護技術に係わるものではなく、本実施形態の説明を容易とするために、その記載を省略するものとする。
【００２３】
図１は、本実施形態に係わるｉＶＤＲの外観を模式的に示した斜視図である。図２は、筐体としてのカートリッジに収納された金属製外装のＨＤＤの外観を側面から見た模式図である。図２の側面図には、ＨＤＤがカートリッジ１０によって挟持されていることを示すために、カートリッジの外形が点線で示されている。図３は、本実施形態に係わるＨＤＤのブロック構成を模式的に示した図である。
【００２４】
まず、図１，図２を用いてｉＶＤＲの外観構成について説明する。
【００２５】
図１に示すように、ｉＶＤＲ１００は、例えば２．５インチの場合、幅８０×高さ１２．７×奥行き１１０（単位：ｍｍ）の挿入方向に長い略カード状の筐体としてのカートリッジ１０を有している。そして、カートリッジ１０の内部には、図２から明らかなように、ＨＤＤ２０が収納されている。カートリッジ１０の部材としては、絶縁性を有する樹脂部材が用いられている。本実施形態では、例えばポリカーボネートであるとする。カートリッジ１０の挿入方向端面には開口部１１が設けられており、この開口部１１からコネクタ２６が露呈されるようになっている。また、カートリッジ１０の側面には、ｉＶＤＲ１００を記録再生装置（図示せず）に差し込む際のガイドとされるガイドレール１２や、挿入後のｉＶＤＲをロックするためのロック機構用溝１３が設けられている。
【００２６】
カートリッジ１０は、表側カートリッジ１０ａと、裏側カートリッジ１０ｂとからなる。ＨＤＤ２０は、表側カートリッジ１０ａと裏側カートリッジ１０ｂとの間に装着された後、例えば、裏側カートリッジ１０ｂ側から図示しない複数の金属製のネジが表側カートリッジ１０ａに差し込まれ、ネジ止めされて、表側カートリッジ１０ａと裏側カートリッジ１０ｂとで挟持される構造とされている。なお、表側カートリッジ１０ａのコネクタ２６側端部の表面には、ｉＶＤＲの挿入方向を示す挿入方向マーク１４が表示されている。また、符号１５はラベルを貼るためのラベルエリアを示している。
【００２７】
カートリッジ１０内に収納されたＨＤＤ２０は、図２の側面図に示すように、金属製外装を構成する例えばアルミダイキャスト製のフレーム２８と、フレーム２８を覆う金属製のカバー２９とを有する。カバー２９は、例えば金属製のネジ２９１でフレーム２８に固定され、全体としてＨＤＤ２０を被覆する金属製外装を形成している。そして、金属製外装としてのフレーム２８とカバー２９とで形成される空間内（図示せず）で、スピンドルモータ，磁気ディスク，磁気ヘッド，ヘッドアーム，ボイスコイルモータ（図３で後述）などがフレーム２８に搭載され、後述するディスク駆動機構部が構成されている。また、フレーム２８のカバー２９とは逆側は、挿入方向側に一段低い形状の低部２８２となっている（なお、挿入方向とは逆側の高い形状の部分をフレーム２８の凸部２８１と称する）。このフレーム２８の低部２８２に、ディスク駆動機構部を駆動する駆動回路（後述する）や記録再生装置とのインターフェース回路（後述する）などが搭載された基板２７が部品未搭載面を外側に向けて例えば金属製のネジ（図示せず）で固定されている。
【００２８】
なお、基板２７をフレーム２８に固定するネジの個所は、非レジスト部のグランド（以下、グランドを「ＧＮＤ」と略記する）パターン部とされる。従って、フレーム２８およびカバー２９は、基板２７のＧＮＤに接続されていることになる。また、基板２７の開口部１１側端部には、コネクタ２６が搭載されている。
【００２９】
次に、ＨＤＤのブロック構成について、図３を用いて説明する。
【００３０】
カートリッジ１０に収納されたＨＤＤ２０は、ディスク駆動機構部２３と、ディスク駆動機構部２３を駆動する駆動回路２４と、インターフェース（以下、「Ｉ／Ｆ」と省略する）回路２５と、コネクタ２６とを含んでなる。
【００３１】
ディスク駆動機構部２３は、スピンドルモータ２３１，磁気ディスク２３２，磁気ヘッド２３３，ヘッドアーム２３４やボイスコイルモータ２３５などを含んで構成され、磁気ディスク２３２を回転させると共に、磁気ヘッド２３３を移動させる機構を有する。駆動回路２４は、１／Ｆ回路２５を介しての記録再生装置（図示せず）からの制御に基づき、ディスク駆動機構部２３を駆動して磁気ディスク２３２の所望位置をアクセスし、データの書き込みや読み出しを行う。Ｉ／Ｆ回路２５は、コネクタ２６を介して、記録再生装置と駆動回路２４との間でデータの遣り取りを行うインターフェースである。コネクタ２６は、データの遣り取りを行うための複数のポート端子，ＩＤを指定するＩＤ端子の他に、電源端子や複数のＧＮＤ端子２６ｇを含んで構成されている。コネクタ２６は、駆動回路２４やＩ／Ｆ回路２５と共に、基板２７上に搭載されており、ＧＮＤ端子２６ｇは基板２７のＧＮＤパターン２７ｇに接続されている。
【００３２】
なお、基板２７のＧＮＤパターン２７ｇは、金属製外装を形成するフレーム２８およびカバー２９に電気的に接続されているので、コネクタ２６のＧＮＤ端子２６ｇもフレーム２８およびカバー２９に電気的に接続されていることになる。
【００３３】
ｉＶＤＲは、上記のように構成されており、図示しない記録再生装置の制御の基で、磁気ディスクから読み出したデータの送信や、入力されたデータの磁気ディスクへの書き込みを行うことができる。
【００３４】
次に、上述した、静電気が主にｉＶＤＲに備えられた記録再生装置と接続するためのコネクタ２６を介して記録再生装置に印加される理由について、図４を用いて説明する。
【００３５】
図４は、カートリッジに静電気が生じた場合の静電気の電荷分布を説明する図である。ここでは、ｉＶＤＲの挿入方向に沿う断面における電荷分布を概念的に示している。なお、図４において、フレーム２８とカバー２９とで構成される金属製外装を符号３０で示す。
【００３６】
本実施形態に係わるｉＶＤＲ１００のカートリッジ１０の部材は、例えば樹脂部材のポリカーボネートである。従って、カートリッジ１０を例えば化学繊維などで擦ると摩擦で静電気が生じる。便宜上、カートリッジ１０がプラス（＋）に帯電したものとする。
【００３７】
ところで、カートリッジ１０の内部に収納されているＨＤＤ２０は、表側カートリッジ１０ａと裏側カートリッジ１０ｂで挟持されているため、ＨＤＤ２０のカバー２９は、表側カートリッジ１０ａに接触し、フレーム２８の凸部２８ｂは、裏側カートリッジ１０ｂに接触している状態となっている。
【００３８】
従って、ＨＤＤ２０の金属製外装３０としてのカバー２９およびフレーム２８のカートリッジ１０に対向する面上には、カートリッジ１０上の正電荷（＋電荷）によって負電荷（−電荷）が静電誘導で誘起される。金属製外装３０（カバー２９およびフレーム２８）は元々電気的に中性（帯電してない）なので、負電荷の誘起に伴い、逆側の面上には正電荷（＋電荷）が生じる。カートリッジ１０上の正電荷と対を成す金属製外装３０（カバー２９，フレーム２８）上の負電荷は移動できないが、金属製外装３０（カバー２９，フレーム２８）上の正電荷は自由に移動可能であり、負電荷から極力離れようとする。これにより、金属製外装３０（カバー２９およびフレーム２８）に電気的に接続された基板２７のＧＮＤパターン２７ｇやコネクタ２６のＧＮＤ端子２６ｇには正電荷（＋電荷）が分布することになる。この様子を示したのが図４である。
【００３９】
図４に示すように、カートリッジ１０の正電荷は、対向する金属製外装３０（カバー２９およびフレーム２８）の負電荷と引き合っている。従って、図４の状態のｉＶＤＲ１００を記録再生装置に挿入する際、例えば、特許文献２の除電ブラシでカートリッジ１０表面を摺動して、カートリッジ１０の正電荷を放電させようとしても放電し難い。
【００４０】
勿論、特許文献３に記載の放電用金属端子をコネクタ２６とは別に備え、特許文献３とは異なり、放電用金属端子の一方端を例えばフレームに接続すれば、カートリッジの帯電電荷（正電荷）によって誘起された金属製外装３０（フレーム２８，ケース２９）や基板，コネクタ上の移動可能な正電荷を、前記放電用金属端子を介して放電させることができる。しかし、ｉＶＤＲでは、互換性を持たせるために、規格でカートリッジ形状が規定されており、コネクタ以外の端子を持たせることができないことになっている。そのため、特許文献３の技術を適用することは困難である。
【００４１】
ところで、一般に、接地した導体上に帯電した絶縁部材を置いた場合、静電誘導により導体の絶縁部材側面に逆極性の電荷が生じることはよく知られていることである。一方、絶縁部材の抵抗は無限大ではなく、実際には非常に大きいが有限の値を取る。この場合、絶縁部材が有する所謂漏洩抵抗を介して導体上の電荷が絶縁部材側に移動し、絶縁部材の静電気が中和されることになる。つまり、絶縁部材上の静電気が減衰することになる。この減衰は、周知の数１で与えられる。但し、数１において、Ｑは静電荷量、Ｑ0は最初に帯電した静電荷量、ｔは時間、τは静電気緩和時間（以下、「緩和時間」と省略する）と呼ばれる時定数である。
【００４２】
【数１】
2009020629.tif 000003
緩和時間τは数２で示される。但し、数２において、εは誘電率、ρは体積抵抗率である。
【００４３】
【数２】
2009020629.tif 000004
ここで、カートリッジ１０の絶縁部材を例えばポリカーボネートとして、上記数２をｉＶＤＲに適用してみる。
【００４４】
ポリカーボネートの体積抵抗率ρは約１０+14Ω・ｍ（１０+16Ω・ｃｍ）程度で、誘電率εは約２．６６ｘ１０-11Ｆ／ｍ程度なので、τはほぼ２６６０秒（約４４分）程度となる。つまり、４４分程度で静電荷量が約１／３になることが分かる。すなわち、ほぼ１時間程度でｉＶＤＲのカートリッジに生じた静電気の大部分がなくなり、ｉＶＤＲ内部の金属導体であるフレーム，カバーや基板のＧＮＤパターン（元々電気的に中性）に、帯電電荷と同極性の電荷（ここでは正電荷）が残ることになる。これは、「カートリッジ１０上の静電気が内部の導体に移動」したとも言える。以下、説明を容易とするために、この表現を用いるものとする。なお、このときの移動時間は数２で与えられることは、上記した説明から明らかであろう。この意味で、以下、緩和時間τを移動時間と同じ意味で用いるものとする。
【００４５】
従って、帯電後時間が経過し、大部分の静電気が内部の導体に移動した状態のｉＶＤＲを記録再生装置に挿入する際、例えば、特許文献２の除電ブラシでカートリッジ表面を摺動して、カートリッジ１０の正電荷を放電させようとしても、良好に放電することができない。これも、カートリッジ１０を除電ブラシで摺動して除電できない理由の一つである。
【００４６】
以上述べた課題の解決を検討するなかで、発明者らは、カートリッジにおける静電気の移動時間（すなわち、緩和時間）をｉＶＤＲの記録再生装置への挿入時間以下とすれば、例えば特許文献２に記載の除電手段を用いて除電が可能となることを見出した。
【００４７】
何らかの原因により、カートリッジ１０に生じた静電荷は、ｉＶＤＲ内部の金属導体に対して静電誘導を引き起こす。しかし、カートリッジと内部の金属導体との間の静電気の移動時間を短くすると、短時間にｉＶＤＲ内部の金属導体に移動するので、静電誘導状態が短時間になくなることになる。この状態で、カートリッジを例えば除電ブラシで摺動すると、ｉＶＤＲ内部の金属導体上の静電気は短時間でカートリッジに移動するので、除電が可能となる。このことは、カートリッジ１０が導体で構成されていると仮定すれば、容易に理解できることである。
【００４８】
ｉＶＤＲを記録再生装置に挿入する際、例えば、特許文献２記載の除電ブラシで帯電電荷を除電しようとすれば、ｉＶＤＲの挿入時間内で除電できなければならない。挿入時間はほぼ１秒以下なので、移動時間（緩和時間）τを１秒以下とすればよいことになる。
【００４９】
一方、ｉＶＤＲを記録再生装置に装着後、コネクタ経由以外に、カートリッジ１０を介して、ｉＶＤＲの収納部である記録再生装置のトレイ（図示せず）とｉＶＤＲとの間で電流が流れると、ノイズや不要輻射などの問題が生じる。そこで、カートリッジの漏洩抵抗は少なくとも１０ＭΩ（１０+7Ω）とする必要がある。
【００５０】
２．５インチのｉＶＤＲでカートリッジ１０の厚さを１ｍｍと仮定し、表面抵抗を無視して、漏洩抵抗Ｒ（１００ＭΩ）から体積抵抗率ρを算出してみる。なお、ｉＶＤＲの場合、カートリッジと金属製外装とで形成される対向面積が大きいので、カートリッジの表面を介して流れる表面電流の割合は小さく、主に、カートリッジの内部（厚さ：例えば約１ｍｍ程度）を通って電流が流れると考えられ、表面抵抗を無視しても大きな誤差は生じないと思われる。
【００５１】
カートリッジ１０の抵抗Ｒは、一般に、数３で求められる。但し、ｄはカートリッジ１０の厚さ、Ｓはカートリッジ１０の表面と裏面の合計の面積である。
【００５２】
【数３】
2009020629.tif 000005
この式を変形することにより、約１．９×１０+8Ω・ｍ体積抵抗率ρとして約１．８×１０+8Ω・ｍを得る。従って、この時の移動時間（緩和時間）τは、カートリッジの部材を例えばポリカーボネートとすれば、数２より約０．００５秒となる。これより、移動時間（緩和時間）τは、少なくとも０．００５秒以上とする必要がある。
【００５３】
以上のことを纏めると、移動時間（緩和時間）τが数４を満足するようにすれば、例えば特許文献２に記載の除電手段を用いて除電が可能となるといえる。
【００５４】
【数４】
2009020629.tif 000006
しかし、バラツキなどを勘案すると、マージンをとって、移動時間（緩和時間）τは約０．０５〜０．５秒程度とするのが好ましいといえる。つまり、次の数を満足することが好ましい。なお、移動時間（緩和時間）０．０５秒は抵抗Ｒ＝１００ＭΩに対応する。
【００５５】
【数５】
2009020629.tif 000007
この時の移動時間τに対応する体積抵抗率ρは、カートリッジの部材をポリカーボネートとすれば、数２より、約１．９×１０+9〜１．９×１０+10Ω・ｍとなる。
【００５６】
カートリッジ１０の絶縁部材における体積抵抗の調整は、絶縁性を有する樹脂基材に粒子状，繊維状の導電性部材（例えば、カーボン繊維や金属繊維）を付与することで可能である。
【００５７】
以上述べた本実施形態によれば、ｉＶＤＲの筐体としてのカートリッジの絶縁部材における静電気緩和時間τを０．００５〜１秒とすることにより、ｉＶＤＲの記録再生装置への挿入の際、例えば、除電ブラシでカートリッジ表面を摺動することで、帯電したｉＶＤＲに生じている静電気を除去（除電）することが可能となる。そのために、本実施形態では、上記条件を満足するために、本実施形態では、カートリッジ（筐体）１０を構成する絶縁部材に導電性部材が含有させるようにしている。また、上記条件を満足するために、本実施形態では、上記カートリッジ（筐体）１０の体積抵抗率を、例えば約１．９×１０+9〜１．９×１０+10Ω・ｍに設定している。
【００５８】
従って、ｉＶＤＲに規格化されてない放電用金属端子を備える必要がなく、記録再生装置のトレイにカートリッジ表面摺動による除電手段を設けることができ、ｉＶＤＲ規格を満足しながら、良好に、記録再生装置およびｉＶＤＲ自体の静電気による誤動作や電子部品の信頼性低下を抑制することができる。
【００５９】
また、本実施形態によれば、カートリッジは適度な導電性を有するので、除電ブラシでカートリッジ表面を摺動しても、除電ブラシを介して記録再生装置の例えば金属筐体（図示せず）に流れる放電電流は一気に流れないという特徴を有する。従って、除電ブラシと記録再生装置の金属筐体との間に接続される放電電流制限用の抵抗を削除することも可能となる。
【００６０】
上記した実施形態では、カートリッジとカートリッジ内に収納されるＨＤＤの金属製外装が接触しているとしたが、本発明はこれに限定されるものではない。例えば特開２００４−１３９６３６号公報に記載されているように、カートリッジとカートリッジ内に収納されるＨＤＤとの間に、衝撃を吸収する緩衝材が四隅に設けられているｉＶＤＲの場合にも適用できる。特開２００４−１３９６３６号公報では、緩衝材としてゴム系の部材が用いられている。ゴム系の部材といえども、その体積抵抗率は有限なので、カートリッジ上の帯電電荷は緩衝材を介してＨＤＤに移動する。そして、ｉＶＤＲを記録再生装置（図示せず）に挿入する際、コネクタを介してｉＶＤＲの静電気が記録再生装置に加わり、誤動作を引き起こすことになる。
【００６１】
そこで、前記した本実施形態を適用する。この場合、カートリッジ上の帯電電荷は緩衝材を介してＨＤＤに移動するので、緩衝材に対して適度な導電性を持たせる必要がある。カートリッジの静電気緩和時間（移動時間）τは１秒以下０．０５秒以上とすることが好ましいので、緩衝材の静電気緩和時間（移動時間）τは、０．０５秒以下とすればよい。このようにすれば、緩衝材を有するｉＶＤＲにおいても、本実施形態を良好に適用することが可能となる。
【００６２】
以上では、リムーバブル記録媒体としてｉＶＤＲを用いて説明したが、本発明はこれに限定されるものではない。筐体で生じる静電気を蓄積できる程の十分大きな金属導体を内部に有する構造の記録媒体構成体であれば、本発明を好適に用いることができることは言うまでもないことである。
【図面の簡単な説明】
【００６３】
【図１】本実施形態に係わるｉＶＤＲの外観を模式的に示した斜視図。
【図２】カートリッジに収納された金属製外装のＨＤＤの外観を側面から見た模式図。
【図３】本実施形態に係わるＨＤＤのブロック構成を模式的に示した図。
【図４】カートリッジに静電気が生じた場合の静電気の電荷分布を説明する図。
【符号の説明】
【００６４】
１０…カートリッジ、１０ａ…表側カートリッジ、１０ｂ…裏側カートリッジ、１１…開口部、１２…ガイドレール、１３…ロック機構用溝、１４…挿入方向マーク、２０…ＨＤＤ、２３…ディスク駆動機構部、２４…駆動回路、２５…Ｉ／Ｆ回路、２６…コネクタ、２６ｇ…ＧＮＤ端子、２７…基板、２７ｇ…ＧＮＤパターン、２８…フレーム、２９…カバー、３０…金属製外装、１００…ｉＶＤＲ、２３１…スピンドルモータ、２３２…磁気ディスク、２３３…磁気ヘッド、２３４…ヘッドアーム、２３５…ボイスコイルモータ、２８１…凸部、２８２…低部、２９１…ネジ。
【図１】
2009020629.tif 000008
【図２】
2009020629.tif 000009
【図３】
2009020629.tif 000010
【図４】
2009020629.tif 000011